【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置の設定情報を他の情報処理装置の設定情報を用いて変更する変更手段と、
前記他の情報処理装置の設定情報を記憶手段にインポートするインポート手段と、
前記情報処理装置の設定情報の前記他の情報処理装置でのインポート結果を前記他の情報処理装置から取得して判定する判定手段と、
前記判定手段により前記他の情報処理装置でのインポートが成功したと判定された場合には、前記記憶手段にインポートされた設定情報を装置の動作に反映させ、前記判定手段により前記他の情報処理装置でのインポートが失敗したと判定された場合には、前記記憶手段に記憶される設定情報を前記インポートを行う前の状態にロールバックする制御手段と、
を有することを特徴とする情報処理装置。
【請求項２】
前記判定手段は、前記インポート手段でのインポート結果も判定するものであり、
前記制御手段は、前記判定手段により前記インポート手段でのインポート及び前記他の情報処理装置でのインポートが成功したと判定された場合には、前記反映を行い、前記判定手段により前記インポート手段でのインポート及び前記他の情報処理装置でのインポートの少なくともいずれかが失敗したと判定された場合には、前記ロールバックを行うことを特徴とする請求項１に記載の情報処理装置。
【請求項３】
前記制御手段は、前記設定情報の交換から前記反映まで、少なくとも１種類以上のジョブの受付を停止することを特徴とする請求項１又は２に記載の情報処理装置。
【請求項４】
情報処理装置であって、
前記情報処理装置の設定情報のバックアップデータを作成するバックアップ手段と、
前記情報処理装置の設定情報を他の情報処理装置を用いて変更する変更手段と、
前記他の情報処理装置の設定情報を記憶手段にインポートするインポート手段と、
前記記憶手段にインポートされた設定情報を装置の動作に反映させる反映手段と、
前記情報処理装置の設定情報の前記他の情報処理装置でのインポート及び反映の結果を前記他の情報処理装置から取得して判定する判定手段と、
前記判定手段により前記他の情報処理装置でのインポート又は反映が失敗したと判定された場合には、前記バックアップデータを用いて前記記憶手段に記憶される設定情報を前記インポートを行う前の状態にロールバックする制御手段と、
を有することを特徴とする情報処理装置。
【請求項５】
前記判定手段は、前記インポート手段でのインポート結果及び前記反映手段での反映結果も判定するものであり、
前記制御手段は、前記判定手段により前記インポート手段でのインポート又は前記反映手段での反映、前記他の情報処理装置でのインポート又は反映のすくなくともいずれかが失敗したと判定された場合には、前記バックアップデータを用いて前記記憶手段に記憶される設定情報を前記インポートを行う前の状態にロールバックする、ことを特徴とする請求項４に記載の情報処理装置。
【請求項６】
前記制御手段は、前記判定手段により前記インポート手段でのインポート及び前記反映手段での反映、前記他の情報処理装置でのインポート及び反映の全てが成功したと判定された場合には、前記バックアップデータを削除する、ことを特徴とする請求項５に記載の情報処理装置。
【請求項７】
前記制御手段は、前記設定情報の交換から、前記判定手段により前記インポート手段でのインポート及び前記反映手段での反映、前記他の情報処理装置でのインポート及び反映の全てが成功したと判定されるまで、少なくとも１種類以上のジョブの受付を停止することを特徴とする請求項５又は６に記載の情報処理装置。
【請求項８】
前記設定情報にはＩＰアドレス、カウンタ情報、ジョブ履歴情報の少なくともいずれかを含むことを特徴とする請求項１乃至７のいずれか１項に記載の情報処理装置。
【請求項９】
前記制御手段は、前記設定情報にＩＰアドレスを含む場合、前記受付を停止する１種類以上のジョブは、ネットワーク経由でのジョブを含むことを特徴とする請求項３又は７に記載の情報処理装置。
【請求項１０】
前記制御手段は、前記設定情報にカウンタ情報を含む場合、前記受付を停止する１種類以上のジョブは、前記カウンタ情報に関連するジョブを含むことを特徴とする請求項３又は７に記載の情報処理装置。
【請求項１１】
前記制御手段は、前記設定情報にジョブ履歴情報を含む場合、前記受付を停止する１種類以上のジョブは、全てのジョブを含むことを特徴とする請求項３又は７に記載の情報処理装置。
【請求項１２】
前記情報処理装置は、スキャナにより読み取ったデータ又は外部装置から受信したデータを保存しておくボックス機能を有するものであり、
前記制御手段は、前記設定情報にボックス機能により保存されたデータを含む場合、前記受付を停止する１種類以上のジョブは、ボックス機能に対応するジョブを含むことを特徴とする請求項３又は７に記載の情報処理装置。
【請求項１３】
情報処理装置の制御方法であって、
変更手段が、前記情報処理装置の設定情報を他の情報処理装置の設定情報を用いて変更する変更ステップと、
インポート手段が、前記他の情報処理装置の設定情報を記憶手段にインポートするインポートステップと、
判定手段が、前記情報処理装置の設定情報の前記他の情報処理装置でのインポート結果を前記他の情報処理装置から取得して判定する判定ステップと、
制御手段が、前記判定ステップにより前記他の情報処理装置でのインポートが成功したと判定された場合には、前記記憶手段にインポートされた設定情報を装置の動作に反映させ、前記判定ステップにより前記他の情報処理装置でのインポートが失敗したと判定された場合には、前記記憶手段に記憶される設定情報を前記インポートを行う前の状態にロールバックする制御ステップと、
を有することを特徴とする情報処理装置の制御方法。
【請求項１４】
情報処理装置の制御方法であって、
バックアップ手段が、前記情報処理装置の設定情報のバックアップデータを作成するバックアップステップと、
変更手段が、前記情報処理装置の設定情報を他の情報処理装置を用いて変更する変更ステップと、
インポート手段が、前記他の情報処理装置の設定情報を記憶手段にインポートするインポートステップと、
反映手段が、前記記憶手段にインポートされた設定情報を装置の動作に反映させる反映ステップと、
判定手段が、前記情報処理装置の設定情報の前記他の情報処理装置でのインポート及び反映の結果を前記他の情報処理装置から取得して判定する判定ステップと、
制御手段が、前記判定ステップにより前記他の情報処理装置でのインポート又は反映が失敗したと判定された場合には、前記バックアップデータを用いて前記記憶手段に記憶される設定情報を前記インポートを行う前の状態にロールバックする制御ステップと、
を有することを特徴とする情報処理装置の制御方法。
【請求項１５】
コンピュータを、請求項１乃至１２のいずれか１項に記載された手段として機能させるためのプログラム。
【手続補正２】
【補正対象書類名】明細書
【補正対象項目名】０００９
【補正方法】変更
【補正の内容】
【０００９】
本発明は、情報処理装置であって、前記情報処理装置の設定情報を他の情報処理装置の設定情報を用いて変更する変更手段と、前記他の情報処理装置の設定情報を記憶手段にインポートするインポート手段と、前記情報処理装置の設定情報の前記他の情報処理装置でのインポート結果を前記他の情報処理装置から取得して判定する判定手段と、前記判定手段により前記他の情報処理装置でのインポートが成功したと判定された場合には、前記記憶手段にインポートされた設定情報を装置の動作に反映させ、前記判定手段により前記他の情報処理装置でのインポートが失敗したと判定された場合には、前記記憶手段に記憶される設定情報を前記インポートを行う前の状態にロールバックする制御手段と、を有することを特徴とする。